(57)【要約】【課題】記録媒体に記録された複数のタイトルの中で所望する複数のタイトルの名前を一括して変更できるようにすると共に、同時に各タイトルに連番を追加することができるようにする情報記録再生装置を提供する。【解決手段】タイトル名一括変更の設定が行われると、ディスプレイ装置にタイトルリスト画面が表示される。タイトルリスト画面上で名前を変更するタイトルが選択されると、このタイトルの並べ替え、所望のタイトル名の入力、入力されたタイトル名に対応する連番の形式の設定、連番の開始番号の設定が行われる。タイトル名一括変更操作が行われると、連番に関係するタイトル名が前記入力されたタイトル名に一括変更される。したがって、記録媒体に記録された複数のタイトルの中で所望する複数のタイトルの名前を一括して変更できるようになると共に、同時に各タイトルに連番を追加することができるようになる。【選択図】図５
0003127475.tif 000002
【実用新案登録請求の範囲】
【請求項１】
テレビ放送信号を受信して選局するチューナを有し、このチューナで選局されたテレビ番組や、その他の情報をタイトルとして記録媒体に記録したり、前記記録媒体に記録されたタイトルを再生したりする情報記録再生装置において、
前記記録媒体に記録された複数のタイトルの中で所望する複数のタイトルに対するタイトル名を一括変更するためのタイトル名一括変更設定操作がされたか否かを判定する一括変更設定操作判定手段と、
前記タイトル名一括変更設定操作がされたと判定されたときに、ディスプレイ装置にタイトルリスト画面を表示させるタイトルリスト画面表示手段と、
前記表示されたタイトルリスト画面上で名前を変更するタイトルが選択されたか否かを判定するタイトル選択判定手段と、
前記選択されたと判定された選択済みのタイトルを所定の表示形態により区別表示する区別表示手段と、
前記選択済みのタイトルの並び替え、この並び替えられたタイトルのタイトル名の入力、当該タイトル名に対応する連番の形式の設定、および連番の開始番号の設定に関するユーザ操作を検知するユーザ操作検知手段と、
前記ユーザ操作が検知されたときに、記録順に前記開始番号より後の連番を設定する連番設定手段と、
タイトル名一括変更操作がされたときに、前記連番に関係するタイトル名を前記入力されたタイトル名に一括変更するタイトル名一括変更手段と、を有するシステムコントローラを備えたことを特徴とする情報記録再生装置。
【請求項２】
テレビ放送信号を受信して選局するチューナを有し、このチューナで選局されたテレビ番組や、その他の情報をタイトルとして記録媒体に記録したり、前記記録媒体に記録されたタイトルを再生したりする情報記録再生装置において、
前記記録媒体に記録された複数のタイトルの中で所望する複数のタイトルに対するタイトル名を一括変更するためのタイトル名一括変更設定操作がされたか否かを判定する一括変更設定操作判定手段と、
前記タイトル名一括変更操作がされたと判定されたときに、連番設定処理により設定された連番に関係するタイトル名をユーザ操作により入力されたタイトル名に一括変更するタイトル名一括変更手段と、を有するシステムコントローラを備えたことを特徴とする情報記録再生装置。
【請求項３】
前記システムコントローラは、前記タイトル名一括変更設定操作がされたと判定されたときに、ディスプレイ装置にタイトルリスト画面を表示させるタイトルリスト画面表示手段と、前記表示されたタイトルリスト画面上で名前を変更するタイトルが選択されたか否かを判定するタイトル選択判定手段と、前記選択されたと判定され選択済みのタイトルの並び替え、この並び替えられたタイトルのタイトル名の入力、当該タイトル名に対応する連番の形式の設定、および連番の開始番号の設定に関するユーザ操作を検知するユーザ操作検知手段と、前記ユーザ操作が検知されたときに、記録順に前記開始番号より後の連番を設定する連番設定手段と、タイトル名一括変更操作がされたときに、前記連番に関係するタイトル名を前記入力されたタイトル名に一括変更するタイトル名一括変更手段とを有することを特徴とする請求項２に記載の情報記録再生装置。
【請求項４】
前記システムコントローラは、前記タイトル選択判定手段により選択されたと判定された選択済みのタイトルを所定の表示形態により区別表示する区別表示手段を有することを特徴とする請求項４に記載の情報記録再生装置。
【考案の詳細な説明】
【技術分野】
【０００１】
本考案は、テレビ放送信号を受信して選局するチューナを有し、このチューナで選局されたテレビ番組や、その他の情報を記録媒体に記録したり、前記記録媒体に記録された情報を再生したりする情報記録再生装置に関し、特に、タイトルの名前を一括変更する機能を有する情報記録再生装置に関する。
【背景技術】
【０００２】
近年、デジタル信号処理技術の発展により、テレビ番組などの情報を記録したり、再生したりするハードディスク装置（ハードディスクレコーダ）や光ディスク装置（ＤＶＤレコーダ）などの情報記録再生装置が普及している。ハードディスク装置では、記録媒体としてのハードディスクが備えられ、ハードディスクにテレビ番組などが記録できる。また、光ディスク装置では、記録媒体としてのＤＶＤ（デジタル・バーサタイル・ディスク）が装填され、ＤＶＤにテレビ番組などが記録できる。
【０００３】
このような情報記録再生装置においては、記録媒体に記録されたタイトル（テレビ番組など）を再生する際に、リモコン操作により、タイトル番号とタイトル名（番組名）と記録日（録画日）とを含むタイトルリストをディスプレイ装置に表示させ、視聴したいタイトルのタイトル名を選択して決定すると、そのタイトルが再生されるようになっている。
【特許文献１】特開平１１−１９１２８１号公報
【特許文献２】特開２００２−３２４３８２号公報
【考案の開示】
【考案が解決しようとする課題】
【０００４】
ところで、このような従来の情報記録再生装置において、ユーザが、記録媒体に記録されたタイトルのタイトル名を変更した場合がある。例えば、毎週放送されるテレビ番組で、タイトル名（番組名）が「光の泉」であった場合、タイトル名（番組名）を「光の泉」から「太陽の泉」に変更したいとき、ユーザは、リモコンを操作してタイトルリストをディスプレイ装置に表示させ、タイトル名（番組名）が「光の泉」になっているリストを選択して、タイトル名の変更の操作を行って、タイトル名（番組名）を「太陽の泉」に変更する。しかし、この変更操作は、タイトル名を変更したいタイトルを一つ一つ選択して行わなければならないので、ユーザは操作が煩わしくて手間と時間が多くかかると言う課題があった。また、「光の泉」を「太陽の泉」に変更しても、何回目に放送された番組であるかが分からないため、タイトルリストの記録日を見て第１回、第２回、・・・と言うように何回目の放送であるかをタイトル名と共に書き込むことも可能であるが、このような連番を書き込む操作も煩わしくて手間と時間が多くかかると言う課題があった。
【０００５】
なお、特許文献１の従来技術では、ビデオテープレコーダにおいてのタイトル修正（タイトル名変更）の処理については開示されているが、ハードディスク装置や光ディスク装置においてのタイトル名変更の処理ついては開示されていない。また、この従来技術では、イベントの固有情報とタイトル（本件で言うタイトル名に相当）を登録し、ビデオカセットに記録される、あるいは記録されたイベント（テレビ番組；タイトル）を示すイベント情報が登録された固有情報と一致したときに、一致したイベントに登録されているタイトル（タイトル名）を付加し、また、繰り返し記録されるイベントに共通する固有情報とタイトル（タイトル名）が登録されるので、繰り返し記録されたイベントのタイトル（タイトル名）をまとめて修正することができるようにしている。
【０００６】
即ち、この従来技術では、ビデオカセットに例えば複数回分の連続ドラマが記録されていたときに、１回分の番組のタイトル（タイトル名）を修正するだけで、他の番組のタイトル（タイトル名）を修正することができるようにしているが、何回目に放送された番組であるかが分からないため、タイトルリストの記録日を見て第１回、第２回、・・・というように何回目の放送であるかを示す連番を、各タイトルに書き込まなければならないので、ユーザにとっては、このような連番を書き込む操作が煩わしくて手間と時間が多くかかる。
【０００７】
また、特許文献２の従来技術は、記録媒体にトラック別に音楽情報などの所望の情報をトラック別のタイトル名と共に記録できる記録媒体記録装置に関するものであり、テレビ番組も記録できるハードディスク装置や光ディスク装置に関するものではない。したがって、この従来技術は、記録媒体に記録されたテレビ番組（タイトル）のタイトル名を変更する場合や、記録媒体に記録されたテレビ番組が何回目の放送であるかを示す連番をタイトル名と共に書き込む場合の処理については開示されていない。
【０００８】
本考案は、上記のような課題を解決するためになされたもので、記録媒体に記録された複数のタイトルの中で所望する複数のタイトルの名前を一括して変更できるようにすると共に、同時に各タイトルに連番を追加することができるようにする情報記録再生装置を提供することを目的とする。
【課題を解決するための手段】
【０００９】
上記目的を達成するために、請求項１の考案は、テレビ放送信号を受信して選局するチューナを有し、このチューナで選局されたテレビ番組や、その他の情報をタイトルとして記録媒体に記録したり、前記記録媒体に記録されたタイトルを再生したりする情報記録再生装置において、前記記録媒体に記録された複数のタイトルの中で所望する複数のタイトルに対するタイトル名を一括変更するためのタイトル名一括変更設定操作がされたか否かを判定する一括変更設定操作判定手段と、前記タイトル名一括変更設定操作がされたと判定されたときに、ディスプレイ装置にタイトルリスト画面を表示させるタイトルリスト画面表示手段と、前記表示されたタイトルリスト画面上で名前を変更するタイトルが選択されたか否かを判定するタイトル選択判定手段と、前記選択されたと判定された選択済みのタイトルを所定の表示形態により区別表示する区別表示手段と、前記選択済みのタイトルの並び替え、この並び替えられたタイトルのタイトル名の入力、当該タイトル名に対応する連番の形式の設定、および連番の開始番号の設定に関するユーザ操作を検知するユーザ操作検知手段と、前記ユーザ操作が検知されたときに、記録順に前記開始番号より後の連番を設定する連番設定手段と、タイトル名一括変更操作がされたときに、前記連番に関係するタイトル名を前記入力されたタイトル名に一括変更するタイトル名一括変更手段と、を有するシステムコントローラを備えたことを特徴とする情報記録再生装置を提供する。
【００１０】
この構成において、タイトル名一括変更の設定が行われると、一括変更設定操作判定手段は、記録媒体に記録されたタイトルに対するタイトル名を一括変更するためのタイトル名一括変更設定操作がされたと判定する。次に、タイトルリスト画面表示手段は、ディスプレイ装置にタイトルリスト画面を表示させる。このタイトルリスト画面の表示により、後述する選択済みのタイトルの並び替え、この並び替えられたタイトルのタイトル名の入力、当該タイトル名に対応する連番の形式の設定、および連番の開始番号の設定に関するユーザ操作は、容易に行うことができる。この後、タイトルリスト画面上で、名前を変更するタイトルが選択されると、タイトル選択判定手段は、名前を変更するタイトルが選択されたと判定し、区別表示手段は、前記選択済みのタイトルを所定の表示形態で表示する。この区別表示手段により、ユーザが名前を変更するために選択したタイトルが容易に分かり、タイトル選択作業が行い易くなる。
【００１１】
ユーザは、以下同様に名前を変更するタイトルを選択して、選択の作業を終えると、選択したタイトルの並べ替えを、連番を追加する場合の順番に行う。これにより、ユーザ操作検知手段は、タイトルが並べ替えられたことを検知する。次に、ユーザは、前記並べ替えられたタイトルに対して所望のタイトル名を入力する。これにより、ユーザ操作検知手段は、タイトル名が入力されたことを検知する。この後、ユーザは、前記入力されたタイトル名に対応する連番の形式を設定する。これにより、ユーザ操作検知手段は、連番の形式が設定されたことを検知する。
【００１２】
更に、ユーザは、連番の開始番号を設定する。これにより、ユーザ操作検知手段は、連番の開始番号が設定されたことを検知する。次に、連番設定手段は、記録順に前記連番の開始番号より後の連番を設定する。この後、ユーザは、タイトル名一括変更操作を行うと、タイトル名一括変更手段は、タイトル名一括変更操作を検知し、前記連番に関係するタイトル名を前記入力されたタイトル名に一括変更する。
【００１３】
この構成によれば、記録媒体に記録された複数のタイトルの中で所望する複数のタイトルの名前を一括して変更できるようになると共に、同時に各タイトルに連番を追加することができるようになり、これにより、ユーザは、タイトル毎に名前を変更する操作および連番を追加する操作の手間が省け、使い勝手が向上する。
【００１４】
請求項２の考案は、テレビ放送信号を受信して選局するチューナを有し、このチューナで選局されたテレビ番組や、その他の情報をタイトルとして記録媒体に記録したり、前記記録媒体に記録されたタイトルを再生したりする情報記録再生装置において、前記記録媒体に記録された複数のタイトルの中で所望する複数のタイトルに対するタイトル名を一括変更するためのタイトル名一括変更設定操作がされたか否かを判定する一括変更設定操作判定手段と、前記タイトル名一括変更操作がされたと判定されたときに、連番設定処理により設定された連番に関係するタイトル名をユーザ操作により入力されたタイトル名に一括変更するタイトル名一括変更手段と、を有するシステムコントローラを備えたことを特徴とする情報記録再生装置を提供する。
【００１５】
この構成において、一括変更設定操作判定手段は、タイトル名一括変更操作がされたと判定したときに、タイトル名一括変更手段は、連番設定処理により設定された連番に関係するタイトル名をユーザ操作により入力されたタイトル名に一括変更する。
【００１６】
この構成によれば、記録媒体に記録された複数のタイトルの中で所望する複数のタイトルの名前を一括して変更できるようになると共に、連番設定処理により同時に各タイトルに連番を追加することができるようになり、これにより、ユーザは、タイトル毎に名前を変更する操作および連番を追加する操作の手間が省け、使い勝手が向上する。
【００１７】
請求項３の考案では、請求項２の考案において、前記システムコントローラは、前記タイトル名一括変更設定操作がされたと判定されたときに、ディスプレイ装置にタイトルリスト画面を表示させるタイトルリスト画面表示手段と、前記表示されたタイトルリスト画面上で名前を変更するタイトルが選択されたか否かを判定するタイトル選択判定手段と、前記選択されたと判定され選択済みのタイトルの並び替え、この並び替えられたタイトルのタイトル名の入力、当該タイトル名に対応する連番の形式の設定、および連番の開始番号の設定に関するユーザ操作を検知するユーザ操作検知手段と、前記ユーザ操作が検知されたときに、記録順に前記開始番号より後の連番を設定する連番設定手段と、タイトル名一括変更操作がされたときに、前記連番に関係するタイトル名を前記入力されたタイトル名に一括変更するタイトル名一括変更手段とを有する。
【００１８】
したがって、前記システムコントローラは、タイトルリスト画面表示処理、タイトル選択判定処理、ユーザ操作検知処理、連番設定処理、およびタイトル名一括変更処理を実現でき、これにより、選択済みのタイトルの並び替え、この並び替えられたタイトルのタイトル名の入力、当該タイトル名に対応する連番の形式の設定、および連番の開始番号の設定に関するユーザ操作は、タイトルリスト画面の表示により容易に行うことができ、また、記録媒体に記録された複数のタイトルの中で所望する複数のタイトルの名前を一括して変更できるようになると共に、同時に各タイトルに連番を追加することができるようになる。
【００１９】
請求項４の考案では、請求項３の考案において、前記システムコントローラは、前記タイトル選択判定手段により選択されたと判定された選択済みのタイトルを所定の表示形態により区別表示する区別表示手段を有するので、ユーザが名前を変更するために選択したタイトルが容易に分かり、タイトル選択作業が行い易くなる。
【考案の効果】
【００２０】
以上のように本考案によれば、記録媒体に記録されたタイトルに対するタイトル名を一括変更するためのタイトル名一括変更設定操作がされたか否かを判定する一括変更設定操作判定手段と、前記タイトル名一括変更設定操作がされたと判定されたときに、ディスプレイ装置にタイトルリスト画面を表示させるタイトルリスト画面表示手段と、前記表示されたタイトルリスト画面上で名前を変更するタイトルが選択されたか否かを判定するタイトル選択判定手段と、前記選択されたと判定された選択済みのタイトルを所定の表示形態により区別表示する区別表示手段と、前記選択済みのタイトルの並び替え、この並び替えられたタイトルのタイトル名の入力、当該タイトル名に対応する連番の形式の設定、および連番の開始番号の設定に関するユーザ操作を検知するユーザ操作検知手段と、前記ユーザ操作が検知されたときに、記録順に前記開始番号より後の連番を設定する連番設定手段と、タイトル名一括変更操作がされたときに、前記連番に関係するタイトル名を前記入力されたタイトル名に一括変更するタイトル名一括変更手段と、を有するシステムコントローラを備えたので、記録媒体に記録された複数のタイトルの中で所望する複数のタイトルの名前を一括して変更できるようになると共に、同時に各タイトルに連番を追加することができるようになり、これにより、ユーザは、タイトル毎に名前を変更する操作および連番を追加する操作の手間が省け、使い勝手が向上する。
【００２１】
また、本考案によれば、記録媒体に記録されたタイトルに対するタイトル名を一括変更するためのタイトル名一括変更設定操作がされたか否かを判定する一括変更設定操作判定手段と、前記タイトル名一括変更操作がされたと判定されたときに、連番設定処理により設定された連番に関係するタイトル名をユーザ操作により入力されたタイトル名に一括変更するタイトル名一括変更手段とを有するシステムコントローラを備えたので、記録媒体に記録された複数のタイトルの中で所望する複数のタイトルの名前を一括して変更できるようになると共に、連番設定処理により同時に各タイトルに連番を追加することができるようになり、これにより、ユーザは、タイトル毎に名前を変更する操作および連番を追加する操作の手間が省け、使い勝手が向上する。
【考案を実施するための最良の形態】
【００２２】
以下、添付図面を参照しつつ、本考案の実施の形態について説明する。図１は本考案の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とするタイトル名一括変更処理は、複合型記録再生装置に限らず、単体のハードディスク装置や光ディスク装置に設ければ、同様な効果を得ることができる。
【００２３】
図１において、複合型記録再生装置１は、光ディスクとしてのＤＶＤ１３などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００２４】
また、この複合型記録再生装置１は、デコーダ５で復号された映像信号をモニタ装置（テレビ受信機など）１３のディスプレイ装置１３１で表示可能な映像信号に変換する映像出力部７と、タイトル名一括変更用のタイトルリスト画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２５】
システムコントローラ１０は、本実施形態の特徴として、記録媒体（ＨＤ１４またはＤＶＤ１３）に記録された複数タイトルの中で所望する複数のタイトルに対するタイトル名を一括変更するためのタイトル名一括変更設定操作がされたか否かを判定する一括変更設定操作判定手段と、前記タイトル名一括変更設定操作がされたと判定されたときに、モニタ装置１３のディスプレイ装置１３１にタイトルリスト画面を表示させるタイトルリスト画面表示手段と、前記表示されたタイトルリスト画面上で名前を変更するタイトルが選択されたか否かを判定するタイトル選択判定手段と、前記選択されたと判定された選択済みのタイトルを所定の表示形態により区別表示する区別表示手段と、前記選択済みのタイトルの並び替え、この並び替えられたタイトルのタイトル名の入力、当該タイトル名に対応する連番の形式の設定、および連番の開始番号の設定に関するユーザ操作を検知するユーザ操作検知手段と、前記ユーザ操作が検知されたときに、記録順に前記開始番号より後の連番を設定する連番設定手段と、タイトル名一括変更操作がされたときに、前記連番に関係するタイトル名を前記入力されたタイトル名に一括変更するタイトル名一括変更手段とを有する。
【００２６】
図２は本実施形態においてタイトルリストの表示画面を示す。図２において、２１はディスプレイ装置に表示されるタイトルリスト画面、２２は当該タイトルのサムネイル画像が表示される領域を示す。２３は所望するタイトルを選択するためのカーソルであり、２４はカーソル２３により所望するタイトルが選択済みになったことを示すための点線枠である。２５はタイトル番号またはリスト番号を示す領域を示し、この例では、領域２５には数字「１」が示される。
【００２７】
図３は本実施形態においてタイトル名を変更するための表示画面を示す。図３において、２８はタイトル番号またはリスト番号が数字１である場合にタイトル名を変更するための表示画面を示す。この表示画面２８において、２６は名前を変更するタイトルのタイトル名を表示する領域、２７は領域２６の例えば後ろに追加された連番形式を表示する領域、２９は連番の開始番号を表示する領域を示す。この例では、領域２７には、第１回という連番形式が表示されている。また、領域２９には、連番の開始番号「１」が表示されている。この連番の開始番号「１」を用いることにより、それよりも後の連番（２，３，４，５，・・・）を設定することができる。また、連番形式としては、第１回、第２回、第３回、第４回、第５回、・・・となる。
【００２８】
連番形式としては、第何回という形式以外に、第何話、番号のみ、番号無し（例えば、毎週同じ曜日に放送される或る同じテレビ番組であれば、その週のストーリのポイントを表す章など）等を用いることもできる。また、連番の開始番号が数字「１０」であれば、それよりも後の連番は、１１，１２，１３，１４，１５，・・・となる。
【００２９】
図４は本実施形態においてタイトル名一括変更を行うためのユーザ操作の流れを説明するためのフローチャートである。このフローチャートおよび図１〜図３を参照してタイトル名一括変更を行うためのユーザ操作の流れについて説明する。ここの説明では、タイトルリストはＨＤ１４から読み出されたテレビ番組（タイトル）についてのタイトル名一括変更を示すが、ＤＶＤ１３から読み出されたテレビ番組（タイトル）についても同様なユーザ操作によりタイトル名一括変更を行うことができる。
【００３０】
先ず、ユーザは、リモコン１１を操作してモニタ装置１３のディスプレイ装置１３１にセットアップ画面を表示させ、タイトル名一括変更の設定を行う（ステップＳ１）。これにより、ディスプレイ装置１３１には、例えば、図２に示すようなタイトルリスト画面２１が表示され、ユーザは、タイトルリスト画面２１上で、名前を変更するタイトルを、リモコン１１を操作してカーソル２３で選択する（ステップＳ２）。カーソル２３で選択されたタイトルは、点線枠２４で表示される。なお、点線枠の代わりに表示色を変えても良い。
【００３１】
ユーザは、以下同様に名前を変更するタイトルを選択して、選択の作業を終えると、選択したタイトルの並べ替えを、連番を追加する場合の順番に行う（ステップＳ３）。次に、ユーザは、リモコン１１を操作して、例えば、図３に示すよな表示画面２８をディスプレイ装置１３１に表示させ、表示画面２８の領域２６に、所望のタイトル名を入力する（ステップＳ４）。
【００３２】
この後、ユーザは、前記入力されたタイトル名の後ろに追加する連番の形式を設定する（ステップＳ５）。即ち、ユーザは、リモコン１１を操作して、表示画面２８の領域２７に、例えば、第１回を入力して、連番の形式を設定する（ステップＳ５）。更に、ユーザは、リモコン１１を操作して、表示画面２８の領域２９に、連番の開始番号（この例では数字「１」）を設定する（ステップＳ６）。この後、ユーザは、タイトル名一括変更操作をリモコン１１により行う（ステップＳ７）。この結果、ユーザにより選択された複数のタイトルのタイトル名が、一括して変更されることになる。
【００３３】
図５は本実施形態においてシステムコントローラが行うタイトル一括変換処理を説明するためのフローチャートである。このフローチャートおよび図１〜図３を参照してシステムコントローラが行うタイトル一括変換処理について説明する。ここの説明では、ＨＤ１４から読み出されたテレビ番組（タイトル）に対する処理を示すが、ＤＶＤ１３から読み出されたテレビ番組（タイトル）に対する処理についても同様である。
【００３４】
先ず、ユーザは、リモコン１１を操作してモニタ装置１３のディスプレイ装置１３１にセットアップ画面を表示させ、タイトル名一括変更の設定を行うと、システムコントローラ１０の一括変更設定操作判定手段は、ＨＤ１４に記録された複数のタイトル（テレビ番組）の中で所望する複数のタイトルに対してタイトル名を一括変更するためのタイトル名一括変更設定操作がされたと判定する（ステップＮ１）。次に、システムコントローラ１０のタイトルリスト画面表示手段は、ディスプレイ装置１３１にタイトルリスト画面２１を表示させる（ステップＮ２）。
【００３５】
この後、ユーザは、タイトルリスト画面２１上で、名前を変更するタイトルを、リモコン１１を操作してカーソル２３で選択すると、システムコントローラ１０のタイトル選択判定手段は、タイトルリスト画面２１上で、名前を変更するタイトルが選択されたと判定し（ステップＮ３）、システムコントローラ１０の区別表示手段は、前記選択済みのタイトルを所定の表示形態（この例では、図２に示すような点線枠２４）で表示する（ステップＮ４）。
【００３６】
ユーザは、以下同様に名前を変更するタイトルを選択して、選択の作業を終えると、選択したタイトルの並べ替えを、連番を追加する場合の順番に行う。これにより、システムコントローラ１０のユーザ操作検知手段は、タイトルが並べ替えられたことを検知する（ステップＮ５）。次に、ユーザは、リモコン１１を操作して、例えば、図３に示すよな表示画面２８をディスプレイ装置１３１に表示させ、表示画面２８の領域２６に、所望のタイトル名を入力する。これにより、前記ユーザ操作検知手段は、タイトル名が入力されたことを検知する（ステップＮ６）。
【００３７】
この後、ユーザは、前記入力されたタイトル名の後ろに追加する連番の形式を設定する。即ち、ユーザは、リモコン１１を操作して、表示画面２８の領域２７に、例えば、第１回を入力して、連番の形式を設定する。これにより、前記ユーザ操作検知手段は、連番の形式が設定されたことを検知する（ステップＮ７）。更に、ユーザは、リモコン１１を操作して、表示画面２８の領域２９に、連番の開始番号（この例では数字「１」）を設定する。これにより、前記ユーザ操作検知手段は、連番の開始番号が設定されたことを検知する（ステップＮ８）。
【００３８】
ステップＮ５〜ステップＮ８の処理を終えた後、システムコントローラ１０の連番設定手段は、記録順に前記連番の開始番号より後の連番を設定する（ステップＮ９）。連番設定手段は、例えば、連番の開始番号が数字「１」であれば、それよりも後の連番を、２，３，４，５，・・・に設定する。また。連番の開始番号が数字「３」であれば、それよりも後の連番を、４，５，６，７，・・・に設定する。
【００３９】
この後、ユーザは、タイトル名一括変更操作をリモコン１１により行うと、システムコントローラ１０のタイトル名一括変更手段は、タイトル名一括変更操作を検知し（ステップＮ１０）、前記連番に関係するタイトル名を前記入力されたタイトル名に一括変更する（ステップＮ１１）。そして、システムコントローラ１０は、ディスプレイ装置１３１に、タイトル名一括変更が完了したことをメッセージで表示させる（ステップＮ１２）。
【００４０】
以上説明したように本実施形態によれば、ＨＤ１４に記録された複数のタイトルの中で所望する複数のタイトルの名前を一括して変更できるようになると共に、連番設定処理により同時に各タイトルに連番を追加することができるようになり、これにより、ユーザは、タイトル毎に名前を変更する操作および連番を追加する操作の手間が省け、使い勝手が向上する。
【産業上の利用可能性】
【００４１】
本考案は、ハードディスクレコーダやＤＶＤレコーダに利用することができ、ハードディスクやＤＶＤなどの記録媒体に記録された複数のタイトルの中で、所望のタイトルに対するタイトル名を一括変更することを可能にする。
【図面の簡単な説明】
【００４２】
【図１】本考案の一実施形態に係る情報記録再生装置としての複合型記録再生装置の構成を示すブロック図である。
【図２】前記実施形態においてディスプレイ装置に表示されるタイトルリスト画面を示す。
【図３】前記実施形態においてタイトル名を変更するための表示画面を示す。
【図４】前記実施形態においてタイトル名一括変更を行うためのユーザ操作の流れを説明するためのフローチャートである。
【図５】前記実施形態においてシステムコントローラが行うタイトル一括変換処理を説明するためのフローチャートである。
【符号の説明】
【００４３】
１    複合型記録再生装置（情報記録再生装置）
４    チューナ
１０    システムコントローラ（一括変更設定操作判定手段、タイトルリスト画面表示手段、タイトル選択判定手段、区別表示手段、ユーザ操作検知手段、連番設定手段、タイトル名一括変更手段）
１３    ＤＶＤ（記録媒体）
１４    ＨＤ（記録媒体）
２１    タイトルリスト画面
１３１    ディスプレイ装置
【図１】
0003127475.tif 000003
【図２】
0003127475.tif 000004
【図３】
0003127475.tif 000005
【図４】
0003127475.tif 000006
【図５】
0003127475.tif 000007
【手続補正書】
【提出日】平成18年10月2日(2006.10.2)
【手続補正１】
【補正対象書類名】実用新案登録請求の範囲
【補正対象項目名】請求項４
【補正方法】変更
【補正の内容】
【請求項４】
前記システムコントローラは、前記タイトル選択判定手段により選択されたと判定された選択済みのタイトルを所定の表示形態により区別表示する区別表示手段を有することを特徴とする請求項３に記載の情報記録再生装置。